(57)【要約】      （修正有）【課題】万能性の向上のため、大型の三脚または類似のカメラ支持具の中にミニポッドを収容する。【解決手段】中空部を有する可動ハンドル２０を含む主三脚１０と、脚が相互に隣接した閉じた位置と脚が拡がった開いた位置とに動くことができる複数の脚をもつ補助脚組立体を含む補助三脚５０とからなり、前記補助三脚は少なくともその一部がハンドル中空部に受け入れられ、それから取り出すことができるものとする。【選択図】図１
2004240424.tif 000002
【特許請求の範囲】
【請求項１】
ａ）内部に中空部を有する可動のハンドルを含む主三脚と、
ｂ）脚が相互に隣接した閉じた位置と脚が拡がった開いた位置との間に動くことができる複数の脚をもつ補助脚組立体を含む補助三脚とからなり、前記補助三脚がハンドルの中空部に少なくとも一部受け入れられ、それから取り出すことができるものからなることを特徴とする三脚装置。
【請求項２】
補助脚組立体の各脚が或る長さを有し、主三脚が補助脚組立体の各脚の長さよりも長い長さをそれぞれもつ複数の脚を備えた主脚組立体を含むものからなることを特徴とする請求項１に記載の三脚装置。
【請求項３】
補助三脚が、ハンドルの外部に位置する設置台を有するものからなることを特徴とする請求項１に記載の三脚装置。
【請求項４】
ａ）第１の脚組立体と、該第１の脚組立体に関する動きのために装着された第１のヘッドと、内部に中空部を有しており、第１の脚組立体に関して第１のヘッドを動かすための第１のヘッドに連結してあるハンドルとを含むものからなる第１の三脚と、
ｂ）第２の脚組立体と、該第２の脚組立体に関する動きのために装着された第２のヘッドとを含む第２の三脚とからなり、第２の脚組立体が、相互に隣接した閉じた位置と脚が拡がった開いた位置との間に動くことができる複数の脚を有し、第２の三脚がハンドルの中空部に少なくとも一部受け入れられ、それから取り出すことができるものからなることを特徴とする三脚装置。
【請求項５】
第１の脚組立体が、複数の脚を有し、第１の脚組立体の各脚が、第２の脚組立体の各脚の長さよリ長いものからなることを特徴とする請求項４に記載の三脚装置。
【請求項６】
第１の脚組立体が、柱軸に沿って伸びる垂直の柱を有しており、柱軸の周りのどちらの円周方向にも、また柱軸に垂直な横軸の周りのどちらの円周方向にも、第１のヘッドを動かすようにハンドルが操作できることを特徴とする請求項４に記載の三脚装置。
【請求項７】
第１のヘッドが、その上に第１の設置台を有しており、ハンドルによる第１のヘッドの運動の間、第１の設置台上に被設置物を支持並びに保持するものからなることを特徴とする請求項４に記載の三脚装置。
【請求項８】
ハンドルが伸張され、それを通して閉じた位置にある第２の脚組立体の脚が滑動可能に挿入された開いた軸端を持つことを特徴とする請求項４に記載の三脚装置。
【請求項９】
第２のヘッドが、その上に被設置物が支持される第２の設置台を有しており、第２の設置台が、ハンドル中に第２の三脚を受けた状態で、ハンドルの外部に位置することを特徴とする請求項４に記載の三脚装置。
【請求項１０】
第１の脚組立体が柱軸に沿って伸びる垂直の柱を有しており、ハンドルがハンドル軸に沿って伸び、ハンドルが柱軸に平行である垂直の位置に動くことができ、第２のヘッドが、その上に被設置物が支持される第２の設置台をもち、第２の三脚をハンドル中に受けた上で第２の設置台がハンドルの外部に位置し、第２の設置台がハンドル軸に対して動くことができることを特徴とする請求項４に記載の三脚装置。
【発明の詳細な説明】
【技術分野】
【０００１】
本発明は、装置を支持するための主三脚に関し、さらに詳細には主三脚とは別の別個の用途のための補助三脚を収容するための、または主三脚との共同使用のための補助三脚を保持するための三脚ハンドル装置に関するものである。
【背景技術】
【０００２】
カメラまたは双眼鏡のような写真装置を固定の位置に保持するのに三脚を使用することは公知である。動かないカメラは、はっきりした輪郭の綺麗な写真を撮るのに絶対必要である。三脚は種々の大きさがあり、その一つは小型のものであって、市場ではミニポッドまたは卓上三脚として知られている。ほとんど全ての三脚は、一組の脚を有するものであって、その脚は、便利な保管および取り扱いのために相互に隣り合っている閉じた位置または折りたたんだ位置と、拡がって安定で動かない支持具をつくる開いたまたは展開した位置との間に動くことができるように構成されている。
【０００３】
写真家は典型的に様々な写真撮影を行うために多数の装置とアクセサリーを持ち運ぶ。そのようなアクセサリーには大型および小型の三脚が含まれ、後者はその寸法が小さいために容易に置き忘れられる。カメラバッグや衣服のポケットが小さいアクセサリーを入れるのに使えるが、実用には不十分であることがわかっている。
【発明の開示】
【０００４】
本発明の一つの目的は、便利な取り扱いと利用のために大型の三脚または類似のカメラ支持具の中にミニポッドを収容することである。
【０００５】
本発明のもう一つの目的は、ミニポッドの置き忘れや紛失を防ぐことである。
【０００６】
本発明のさらにもう一つの目的は、ミニポッドと一緒に使うことによって大型の三脚の万能性を増ことである。
【０００７】
これらの目的および下記に明白となる他の目的を果たす上において、本発明の一つの特徴は、簡単に言えば、可動ハンドルで調節可能に位置を決められた装置を支持するための主要または大型の三脚のような主要支持具と、その脚が相互に隣接した閉じた位置と脚が拡がった開いた位置との間に動くことができる複数の脚をもつ補助脚組立体でなる補助または小型の三脚のような補助支持具とからなるカメラ支持装置にある。
【０００８】
本発明のこの特徴によって、中空の内部をもつハンドルが作られ、補助三脚は、補助脚組立体のどちらかの位置において、ハンドルの内部に少なくとも部分的に収納され、またそれから取り出すことができるようになっている。こうして、補助三脚は便利に収納され、主三脚と一緒に取り扱え、また容易に利用できる。補助三脚は自動的に主三脚と一緒にそれによって持ち運ばれるので、撮影場所に補助三脚を持って行かなかったり、持っていくのを忘れたりする危険が最小限に抑えられる。補助三脚は指定の場所を持っているので、紛失の危険が減る。
【０００９】
本発明のもう一つの特徴は、主三脚の万能性を増加させることに関するものである。典型的には、主三脚は垂直の柱軸に沿って伸びる中央柱を有していて、ハンドルは柱軸に対して二つ、時には三つの運動の自由度をもって三脚の頭部または台の上に支持された一個の装置を動かすように操作できる。第一の運動の自由度は、一般に水平な平面上で柱軸の周りの両方の円周方向にある。第二の運動の自由度は、柱軸に垂直な水平傾斜軸の周りの両方の円周方向にある。別の板が水平から垂直の位置に装置を位置させて、第三の運動の自由度を与えることができる。
【００１０】
典型的には、補助の三脚は回転運動のために玉継ぎ手を装着した頭部または台をもち、使用可能なもう一つの運動の自由度を表わす。この追加的に利用できる運動の自由度を使用するため、本発明はハンドルの外側に補助三脚の頭部を位置させて、補助三脚がハンドルの内部に装着されているときでも、カメラをその上に装着できるようにすることを提案する。有利な方法としては、ハンドルの軸に沿って伸びるハンドルをハンドル軸が垂直で柱軸に平行なように動かす。この位置で、写真家は補助三脚なしの主三脚がこの追加の運動の自由度をもたなかったか、もてないかもしれないにしても、その玉継ぎ手とその利用可能な運動の自由度を使用することができる。
【００１１】
一台のカメラを主三脚の頭部に装着し、もう一台のカメラを補助三脚の頭部に装着することによって万能性がさらに向上する。そのような同時のカメラの使用は、特に一台のフィルムカメラと一台のディジタルカメラを使う場合に有用である。
【００１２】
図１において、参照符号１０は、主脚組立体１２、主脚組立体１２に対する動きのために装着された主ヘッド１４、および一点鎖線で示したカメラ１６のような一台の装置を調節可能に位置づけるべく前記主ヘッド１４に結合させたハンドル２０をもつ大型三脚または主三脚を示すものである。
【００１３】
主脚組立体１２は、中央垂直柱１８の周りに固定された静止カラー２８にそのそれぞれの上端で回転可能に装着された三本の脚２２、２４、２６を含むものからなっている。各脚は、各脚部分に一つずつある脚止め２２ａ、２２ｂ、２４ａ、２４ｂおよび２６ａ、２６ｂで望ましい延長位置に固定される複数の入れ子式の脚部分によって構成されており、各脚を適宜伸ばし、固定すことができる。図１に示す脚は、角度を成して広がった開いた位置で示されている。安定性を増すために、複数の脚連結棒３０、３２、３４が、脚に回転可能に連結された外側の端および、図示の開いた位置および脚が相互にかつ柱１８の周りにぴったり隣り合った閉じた位置の間に脚が動くにつれて、柱１８をスライドして上下する可動カラー３６に回転可能に連結された内側の端をもっている。
【００１４】
主ヘッド１４は、その上にカメラ１６が載る台３８を有している。装着ねじ４０がカメラについているねじ山のある孔にねじ込まれて、カメラを固定するようになっている。主ヘッド１４は、柱１８の中を上下し、止め具４２で望みの高さに固定される垂直の昇降軸上に装着される。好ましくは、軸はクランクで回転できる歯車と噛み合った歯をもつが、これは図面を簡単にするために図示されていない。
【００１５】
主ヘッド１４は、それに沿って柱１８が伸びる垂直柱軸のまわりに、水平面上を両方矢印Ａで示したようにどちらの円周方向にも第一の運動の自由度でハンドル２０によって動かすことができる。ハンドル２０はまた、柱軸に垂直な水平傾斜軸の周りに垂直面上を両方矢印Ｂで示したようにどちらの円周方向にも第二の運動の自由度で頭部を動かすことができる。このようにして、ハンドル２０はカメラ１６を左右に動かすことができ、またカメラを前後に傾け、または傾斜させることができる。
【００１６】
これまで述べたように、主三脚１０は全く従来からのものである。図３に示す小型または補助の卓上三脚５０も従来からのものである。この補助三脚５０は、また、そのそれぞれの上端でケース５８に回転可能に連結された３本の脚をもつ補助脚組立体を含むものからなっている。各脚は、摩擦によって保持される伸びた位置まで入れ子式の脚部分で伸ばすことができる。脚５２、５４、５６は、図３に開いた位置で示され、また下記に説明するように、図２に閉じた位置で示される。
【００１７】
補助三脚５０は、その上にカメラが載るヘッドまたはプラットホーム６０、およびカメラ側に切ってあるねじソケットにねじ込まれる装着ねじ６２を含むものからなっている。装着ねじ６２の反対側の端は、球状ソケット６６の中に受け入れ可能な球体６４（図２を参照）で終わる。球体６４は、ソケットの中で回転し、本質的にカムを回して球体６４をソケットに押し付けて、蝶ねじが反対方向に回されるまでは球体を固定する蝶ねじ型の止め具６８によって所望の位置に固定できる。
【００１８】
補助三脚５０は、主三脚では大き過ぎる卓上または接写用途に有用である。例えば、主三脚の伸ばしていない各脚の長さは２２インチのオーダーであり、補助三脚の伸ばしていない各脚の長さは４インチのオーダーである。上記したように、補助三脚５０の小さい寸法は置き忘れを助長する。
【００１９】
本発明の一つの特徴により、ハンドル２０は補助三脚５０を少なくとも一部その中に入れられるように改変される。これまで、主三脚のハンドルは、主ヘッド１４にねじ込まれた一方の端と中空でない円柱状の部品にねじ込まれたもう一方の端をもつ、握りと快適性を良くするために時にはゴムスリーブをかぶせた棒７０を含んでいた。本発明では、中空の内部を持つ円柱状の部品７４を形成し、それを通してハンドル内のぴったりの適合のために補助三脚５０が（その脚が閉じた状態で）挿入される開いた外側の軸端を提供することを提案する。補助三脚５０は、「足から先に」挿入される。完全に挿入すると、台６０と装着ねじ６２はハンドル内部の外側に位置する。円柱状の部品７４は、止め具６８が補助三脚５０の完全な挿入を妨げないように、軸方向の隙間７２をもつようにつくられる。補助三脚５０を固定するために、摩擦が頼りになり得るが、補助三脚５０をしっかりとめるために円柱状の部品７４の上に止めねじ７６が付けられる。
【００２０】
主三脚１０のハンドル２０内への補助三脚５０の適合は、補助三脚５０を別に持ち運ぶことなしにそれを常に利用できるようにすることを可能にする。カメラの操作者は普通自分が持ち運ぶ品物の数を最少にしたいものである。補助三脚５０はハンドルから容易に取り外すことができ、別の卓上型のカメラ支持具として使用できる。
【００２１】
本発明のもう一つの特長は、台６０と装着ねじ６２が円柱状の部品７４の外側で外部の位置にあることであり、これが事実上、第一のカメラ台として働く台３８と装着ねじ４０に加えて、カメラ１６を装着するための第二のカメラ台として働く。
【００２２】
図４に示すように、ハンドル２０は一般に垂直の位置に上昇し、すなわちハンドルの軸は垂直であり、柱１８の軸に平行である。つぎに、カメラ１６は第二のカメラ台の上に装着される。
【００２３】
主三脚１０のヘッド１４は、矢印ＡおよびＢの方向に２つの自由度を持っていたことが想起されるであろう。補助三脚５０の頭部は、玉継ぎ手をもち、こうして回転運動の第三の自由度を表わす。したがって、第二の台６０の上にカメラを装着することによって、カメラの操作者は万能性の向上のためのもう一つの自由度を得る。
【００２４】
中空のハンドル２０は、補助三脚５０付きでもなしでも、既存の主三脚１０の上の中空でないハンドルの補助的な置き換え品として提供でき、または目的に合うように作られた三脚の構成部品として提供できる。
【００２５】
静止写真を撮るためのカメラとして有用であると説明したが、ここに述べた二重三脚の配列はビデオやディジタルカメラのような他の写真装置、または双眼鏡、またはコンパスを支持するのにも、また使用中静止の状態に保持することが要求されるあらゆる装置を支持するのにも使用できる。
【００２６】
ハンドル２０が垂直軸に沿って伸びる場合、第二の台の使用が最適であると述べているが、ハンドルがそのように位置することができない主三脚もあるので、これは厳密に必要ではない。
【００２７】
主支持具は脚をもった三脚でなくてもよいが、クレーン、ドリーまたはスタジオスタンド、すなわち上のカメラ台が載る腕木を持った平らな丸いベース付きの単一の垂直軸のようなどんな支持具でもよい。補助三脚が主三脚から取り外されない場合は、大きいフィルムカメラのような第一のカメラは、主支持具のヘッドに装着してもよいものであり、小さいディジタルカメラのような第二のカメラについては、補助三脚のヘッドに装着してもよい。同様に、補助三脚は脚をもった三脚でなくてもよいが、上にカメラを支持できる支持具であればよい。
【図面の簡単な説明】
【００２８】
【図１】本発明に従って中に補助三脚を装着した、一点鎖線で表したカメラを支持するための主三脚の斜視図である。
【図２】図１における線２−２上の拡大断面図である。
【図３】一点鎖線で表したカメラを支持するための開いた位置にある補助三脚の斜視図である。
【図４】三脚の共同使用を示す斜視図である。
【図５】図４における線５−５上の拡大断面図である。
【符号の説明】
【００２９】
１０  主三脚
１２  主脚組立体
１４  主ヘッド
１６  カメラ
１８  中央垂直柱
２０  ハンドル
２２、２４、２６  三本の脚
２８  静止カラー
３０、３２、３４  脚連結棒
３６  可動カラー
３８  設置台
４０  装着ねじ
５０  補助三脚
５２、５４、５６  補助三脚の脚
６０  プラットホーム
６２  装着ねじ
【図１】
2004240424.tif 000003
【図２】
2004240424.tif 000004
【図３】
2004240424.tif 000005
【図４】
2004240424.tif 000006
【図５】
2004240424.tif 000007